(57)【要約】      （修正有）【課題】履き心地が低下することが少なく、着用者の歩行時などに脱げたり、履き位置ズレが起こることが少ないフットカバーを提供する。  【解決手段】足裏部２、爪先部３、両側辺部５および踵部６を覆うカバー全体を伸縮性の編地で編成し、足１０を出し入れするための上方開口部１２について、その周縁１３自体が伸縮性を有するとともに、周縁に沿って内側に粘着性を備える広幅の樹脂縦縞部１４を形成し、樹脂縦縞部は所定間隔の連続間欠を有する多数本の横並列帯状片で構成する。  【選択図】図１
0003209763.tif 000002
【実用新案登録請求の範囲】
【請求項１】
着用者が足に履いた際に、足甲部の大半および足首部が露出するフットカバーであって、足裏部、爪先部、両側辺部および踵部を覆うカバー全体を伸縮性の編地で編成し、足を出し入れするための上方開口部について、その周縁自体が伸縮性を有するとともに、該周縁に沿って内側に粘着性を備える広幅の樹脂縦縞部を形成し、この樹脂縦縞部は所定間隔の連続間欠を有する多数本の横並列帯状片で構成するフットカバー。
【請求項２】
着用者が足に履いた際に、足甲部の大半および足首部が露出するフットカバーであって、足裏部、爪先部、両側辺部および踵部を覆うカバー全体を伸縮性の編地で編成し、足を出し入れするための上方開口部について、その周縁の内側に伸縮性を備える樹脂細幅部を設けるとともに、該周縁に沿って粘着性を備える広幅の樹脂縦縞部を内側に形成し、この樹脂縦縞部は所定間隔の連続間欠を有する多数本の横並列帯状片で構成するフットカバー。
【請求項３】
上方開口部の周縁内側に環状に設けた樹脂細幅部は幅が１．５〜３ｍｍであり、該樹脂細幅部と連接する樹脂縦縞部は横幅が８〜１３ｍｍであり、この樹脂縦縞部を構成する並列帯状片の幅は１〜２ｍｍ、連続間欠の幅は０．７〜１．５ｍｍである請求項１または２記載のフットカバー。
【請求項４】
上方開口部の後方周縁に接して、周囲に並列帯状片を配設した樹脂半楕円部を内側に形成し、該樹脂半楕円部が着用者の踵部と当接することにより、フットカバーが着用時に脱げることを防止する請求項１または２記載のフットカバー。
【請求項５】
上方開口部の周縁に内側に設けた樹脂細幅部、該周縁に沿って内側に形成した樹脂縦縞部、カバー開口部の後方周縁に接して内側に形成した樹脂半楕円部は、いずれもシリコーン樹脂からなる請求項１または２記載のフットカバー。
【考案の詳細な説明】
【技術分野】
【０００１】
本考案は、履き心地が比較的良好であり且つ着用者の歩行時などに脱げることが少ないフットカバーに関する。
【背景技術】
【０００２】
フットカバーは薄い靴下の一種であり、ソックスカバー、インナーソックス、カバーソックスなどと称する場合もある。女性や若者において、パンプスやスニーカーを素足で履くことがファッションとして定着しており、素足で着用する際に着用者の足と靴裏とが直接接触することによる不快感を軽減するために、あらかじめフットカバーを履くことが一般的になっている。
【０００３】
フットカバーを履くと、通常、足裏部、爪先部、両側辺部および踵部を覆うけれども、足甲部の大半および足首部は露出することにより、着用時にパンプスやスニーカーからフットカバーの一部が外部から見えないように配慮されており、外観的には、素足にパンプスやスニーカーを直接履いているように見える。この種のフットカバーは、靴着用時に外部から見えないように履き口の上方開口部が大きくカットされているため、着用者の歩行時に脱げやすく、該カバーの履き位置がズレることが多発している。
【０００４】
フットカバーが歩行時に脱げやすいという欠陥を改善するために、既に数多くの発明が提案されている。例えば、特開平１０−２９２２０６号では、踵当接部の内面に摩擦付与体を取り付け、該摩擦付与体は、ゴムやシリコーンゴムなどの突起状弾性体またはシートである。特開２０１４−１３３９５２号では、踵部および上方開口部近辺の側辺部に伸縮性の細幅生地を設け、該細幅生地は側辺部の表側および裏側に設けられている。特開２０１５−１３７４２６号では、踵部および上方開口部近辺の側辺部に伸縮性および粘着性を有する幅５〜１５ｍｍの帯状シリコーン部を設け、このシリコーンテープは接着剤で接着してもシルク印刷で形成してもよい。
【０００５】
また、特開２０１６−５０３７３号では、上方開口部の縫着線はゴム糸を挿入してダブルウェルトに編成され、該縫着線は他の編み地部分よりも締め付け力が高く、この縫着線に沿って平ゴムなどの伸縮性生地を上方開口部の生地に熱接合することも可能である。特開２０１６−５６４７９号では、上方開口部の内周において樹脂製の滑り止め縁部材をほぼリング状に設け、爪先部および両側辺部を内リングと外リングとの２重リング状に形成している。特開２０１６−６９７５０号では、上方開口部を袋状のダブルウェルトに編成するとともに、フットカバーのボディ部が、短繊維または長繊維からなる表糸とウレタン糸を芯糸とする弾性糸である裏糸とで構成する添糸編で編成され、ダブルウェルトの編み始め部分が、ボディ部の裏糸のウレタン芯糸よりも太い２００ｄｔｅｘ以上の太さのウレタン糸を芯糸とするシングルカバーの被覆弾性糸で編成されている。
【先行技術文献】
【特許文献】
【０００６】
【特許文献１】特開平１０−２９２２０６号公報
【特許文献２】特開２０１４−１３３９５２号公報
【特許文献３】特開２０１５−１３７４２６号公報
【特許文献４】特開２０１６−５０３７３号公報
【特許文献５】特開２０１６−５６４７９号公報
【特許文献６】特開２０１６−６９７５０号公報
【考案の概要】
【考案が解決しようとする課題】
【０００７】
特開平１０−２９２２０６号は、踵当接部の内面に取り付けた摩擦付与体だけでフットカバーの脱落や履き位置ズレを防ぐため、脱落や履き位置ズレを完全に防止することは困難である。特開２０１４−１３３９５２号および特開２０１５−１３７４２６号は、踵部および上方開口部近辺の側辺部において、伸縮性の細幅生地または帯状のシリコーン部を設けるので、細幅生地やシリコーンテープがある程度の幅と厚みを有することにより、足甲部を必要以上に締め付け、フットカバーの履き心地が低下する。
【０００８】
また、特開２０１６−５０３７３号および特開２０１６−６９７５０号は、上方開口部を袋状のダブルウェルトに編成することにより、該ダブルウェルトにゴム糸を挿入していないと、太いウレタン糸を芯糸とする被覆弾性糸を用いて編成しても締め付け力が低下しやすい。特開２０１６−５６４７９号では、上方開口部の内周においてシリコーン樹脂製の滑り止め縁部材をほぼ２重のリング状に設けるため、滑り止めシリコーン樹脂で足甲部を必要以上に締め付けたり、この締め付けが不十分であるとフットカバーが使用時に脱落したり履き位置ズレが起こりやすい。
【０００９】
本考案は、従来のフットカバーに関する前記の問題点を改善するために提案されたものであり、履き心地が低下することが少なく、着用者の歩行時などに脱げたり、履き位置ズレが起こることが少ないフットカバーを提供することを目的としている。本考案の他の目的は、上方開口部の周縁において足甲部を締め付けることが少なくても滑り止め効果が大きいフットカバーを提供することである。
【課題を解決するための手段】
【００１０】
本考案に係るフットカバーは、着用者が足に履いた際に、足甲部の大半および足首部が露出するフットカバーであり、足裏部、爪先部、両側辺部および踵部を覆うカバー全体を伸縮性の編地で編成する。このフットカバーは、足を出し入れするための上方開口部について、その周縁自体が伸縮性を有するとともに、該周縁に沿って粘着性を備える広幅の樹脂縦縞部を内側に形成し、この樹脂縦縞部は所定間隔の連続間欠を有する多数本の横並列帯状片で構成する
【００１１】
本考案に係る他のフットカバーは、足を出し入れするための上方開口部について、その周縁の内側に伸縮性を備える樹脂細幅部を設けるとともに、該周縁に沿って粘着性を備える広幅の樹脂縦縞部を内側に形成し、この樹脂縦縞部は所定間隔の連続間欠を有する多数本の横並列帯状片で構成する。
【００１２】
本考案に係るフットカバーにおいて、上方開口部の周縁内側に環状に設けた樹脂細幅部は幅が１．５〜３ｍｍであり、該樹脂細幅部と連接する樹脂縦縞部は横幅が８〜１３ｍｍであり、この樹脂縦縞部を構成する並列帯状片の幅は１〜２ｍｍ、連続間欠の幅は０．７〜１．５ｍｍであると好ましい。
【００１３】
また、本考案に係るフットカバーにおいて、上方開口部の後方周縁に接して、周囲に並列帯状片を配設した樹脂半楕円部を内側に形成することが可能であり、該樹脂半楕円部が着用者の踵部と当接することにより、フットカバーが着用時に脱げることを防止する。さらに、上方開口部の周縁に内側に設けた樹脂細幅部、該周縁に沿って内側に形成した樹脂縦縞部、カバー開口部の後方周縁に接して内側に形成した樹脂半楕円部は、いずれもシリコーン樹脂からなると好ましい。
【考案の効果】
【００１４】
本考案に係るフットカバーでは、上方開口部の周縁に沿って内側に広幅の樹脂縦縞部を形成し、該樹脂縦縞部は薄くて広がりやすく、該カバー編地との違和感が小さくても粘着性および滑り止め性が高い。この樹脂縦縞部をカバー内側に形成すると履き心地が低下することが少なく、このフットカバーが着用者の歩行時などに脱げたり、履き位置ズレが起こりにくくなる。また、本考案のフットカバーについて、上方開口部の周縁の内側に樹脂細幅部を設けると、上方開口部の周縁において足甲部を締め付けることが少なくても滑り止め効果が大きい。
【００１５】
本考案に係るフットカバーは、上方開口部の周縁内側に設けた樹脂縦縞部のほかに、上方開口部の後方周縁に接して樹脂半楕円部を内側に形成することができる。この結果、樹脂縦縞部による滑り止めに加えて、樹脂半楕円部が着用者の踵部と当接することにより、このフットカバーが着用時に脱げたりズレたりすることをいっそう有効に防止できる。この樹脂半楕円部には、その周囲に並列帯状片を配設しているので、カバー編地が伸びた際に樹脂半楕円部の個所における引っ張り変形が緩和される。
【図面の簡単な説明】
【００１６】
【図１】本考案に係るフットカバーを示す全体斜視図である。
【図２】図１のフットカバーを構成する足周囲部の展開平面図であり、この足周囲部の平面形状は概略的に示している。
【図３】カバー開口部の周縁に内側に形成した広幅の樹脂縦縞部を拡大して示す部分平面図である。
【図４】カバー開口部の後方周縁に接して内側に形成した樹脂半楕円部を拡大して示す部分平面図である。
【考案を実施するための形態】
【００１７】
本考案に係るフットカバー１は、着用者が足に履いた際には、図１に示すような立体形状になり、非着用状態では通常の靴下と同様にほぼ平らになる。フットカバー１は、通常、伸縮性を備えた薄い編地で全体を編成する。この編地は、パンティストッキングなどに用いるナイロンとポリウレタンの混合素材であっても、さらに綿を加えて感触性を良くすることも可能であり、他の素材の編地も使用可能である。
【００１８】
フットカバー１は、通常、複数片の編地片を縫製して形成される。一般的に、フットカバー１は、足形平面の足底部２と、爪先部３、両側辺部５および踵部６を含む細長い足周囲部７（図２参照）とを別個に編成し、足底部２の周囲に足周囲部７の下辺を環状に縫着線８で縫着し、さらに足周囲部７の両側縁を縫着線９で縫着すればよい。このフットカバーは、足底部２、爪先部３、側辺部５および踵部６をそれぞれ別個に編成し、ついで全体を縫着して一体化してもよく、さらに爪先部３および踵部６を一体的に編成したり、または両側辺部５および踵部６を一体的に編成することも可能である。この結果、足底部２の全周囲に縫着線８が形成され、さらに足周囲部７において高さ方向に縫着線９が形成され、編地片の数に応じて縫着線９が２本以上になる。
【００１９】
着用時のフットカバー１は、図１に示すように、着用者の足１０の足裏部、爪先部、両側辺部および踵部を覆い、足甲部の大半および足首部は露出する。フットカバー１は、着用時にパンプスやスニーカーなどの靴から露出しないように、履き口である上方開口部１２が大きく開いている。すなわち、上方開口部１２は、足周囲部７の周縁１３によって構成されるか、または爪先部３の上周縁、両側辺部５の上周縁および踵部６の各周縁の組み合わせによって構成される。
【００２０】
フットカバー１には、上方開口部１２の環状周縁１３に沿って粘着性を備える広幅の樹脂縦縞部１４を内側に形成し、図１と図３に示すように、樹脂縦縞部１４は所定間隔の連続間欠１６を有する多数本の横並列帯状片１８で構成し、通常、該帯状片は等長で等間隔である。樹脂縦縞部１４および樹脂細幅部２０は、同一または異なるシリコーン樹脂または他の粘着性樹脂からなり、シルクスクリーン機による厚盛り印刷、凸版や凹版印刷機による印刷、テープ状素材の熱融着などによって形成すればよい。
【００２１】
樹脂縦縞部１４の上辺は、上方開口部１２の環状周縁１３と多少の間隔を有していてもよく、該周縁の内側に樹脂細幅部２０を設けていれば、該樹脂細幅部に連接させるのが一般的である。樹脂縦縞部１４の各隅部および該樹脂縦縞部と樹脂細幅部２０との連接部は、図３のように面取り状に湾曲させると、その個所から剥がれたり破損することが少なくなるので好ましい。
【００２２】
樹脂縦縞部１４は、その横幅が８〜１３ｍｍであると好ましく、横幅８ｍｍ未満であると滑り止め効果が不足し、横幅１３ｍｍを越えるとカバー着用時に違和感が生じやすい。また、樹脂縦縞部１４を構成する並列帯状片１８の幅は１〜２ｍｍ、連続間欠１６の幅は０．７〜１．５ｍｍであると、伸縮性を阻害することが少なくて感触性が良好であるので好ましい。並列帯状片１８は、図示のような長手方向に対して直交平行だけでなく、斜め平行や逆斜め平行または複数の平行部分の組み合わせでもよい。
【００２３】
樹脂細幅部２０は、図１と図３に示すように、上方開口部１２の環状周縁１３の内側に設け、つまり足周囲部７の全周縁１３または爪先部３、両側辺部５および踵部６の各周縁に沿って内側に形成すればよい。樹脂細幅部２０の幅は１．５〜３ｍｍであると好ましく、幅１．５ｍｍ未満ではずれ防止効果が少なく、幅が３ｍｍを越えるとフットカバー１の着用時の感触が悪くなりやすい。
【００２４】
一方、このフットカバーでは、前記の樹脂細幅部２０を形成する代わりに、上方開口部１２の周縁自体が伸縮性を有する構造にしてもよい。この例として、上方開口部１２の上周縁をダブルウェルトに形成し、ウレタン糸を芯にした細い糸で被覆した太い被覆弾性糸でダブルウェルトを編成しても、または袋状のダブルウェルトの中にゴム糸やウレタン糸などの弾性糸を挿入してもよい。
【００２５】
フットカバー１には、図１と図４に示すように、上方開口部１２の後方周縁に接して、周囲に並列帯状片２２を配設した樹脂半楕円部２４を内側に平らに形成し、該半楕円部が着用者の踵部と当接することにより、フットカバーが着用時に脱げたり位置ズレすることを防止する。樹脂半楕円部２４は、着用者の踵幅に相当する横幅を有し、その縦幅はカバー高さのほぼ半分である。並列帯状片２２は、樹脂縦縞部１４と同様に連続間欠２６を有する帯状片２８で構成し、半楕円部２４が伸長した際のカバー変形を緩和し且つ滑り止め効果を有する。樹脂半楕円部２４は、通常、図２のように樹脂縦縞部１４と連続しており、該樹脂縦縞部と同様にシリコーン樹脂または他の粘着性樹脂からなる。
【００２６】
フットカバー１において、樹脂縦縞部１４、樹脂細幅部２０および樹脂半楕円部２４は、シロキサン結合（≡Ｓｉ−Ｏ−Ｓｉ≡）を骨格とするシリコーン樹脂によって構成すると好ましい。シリコーン樹脂は、離型性および消泡性が優れているので、例えば、ロータリーまたは扇型スクリーン印刷機などによる厚盛り印刷が容易であり、樹脂部の厚さを約８０〜３５０μｍに設定すると、使用樹脂量が少なく且つフットカバー１の編地との違和感が小さくなるので好ましい。
【００２７】
この際に、フットカバー１の爪先部３、両側辺部５および踵部６は、図２に示す１枚の足周囲部７で代用することができ、該足周囲部は１本の縫着線９および環状の縫着線８で縫着するだけでフットカバー１を製造できる。足周囲部７は、公知の縦編機によって連続的に編成でき、図２の一点鎖線で裁断すれば小分けでき、足底部２に縫着すると、部分７ａが爪先部３に相当し、部分７ｂが踵部６に相当する。
【００２８】
足周囲部７の編地において、樹脂縦縞部１４、樹脂細幅部２０および樹脂半楕円部２４を形成する場合、ロータリーまたは扇型スクリーン印刷機によって周縁１３に沿って連続的に厚盛り印刷でき、この印刷後に図２の一点鎖線で小分けすれば、フットカバー１を効率的に製造できる。また、足周囲部７を図２の部分７'を含む倍幅で編成すると、樹脂縦縞部１４、樹脂細幅部２０および樹脂半楕円部２４を該足周囲部および部分７'に同時に印刷した後に、倍幅の樹脂細幅部２０の中心線で裁断すれば２枚の足周囲部７を同時に製造でき、この際に編地に浸透したシリコーン樹脂によって周縁１３がほつれることはない。
【００２９】
本考案に係るフットカバー１は、上方開口部１２の周縁１３に沿って樹脂縦縞部１４を内側に有し、該樹脂縦縞部が比較的薄くて広がりやすいので、該フットカバーの履き心地が低下することが少なく、該樹脂縦縞部によってフットカバー１が着用者の歩行時などに脱げたり、履き位置ズレが起こりにくい。また、上方開口部１２の周縁内側に樹脂細幅部２０を設けると、該上方開口部の周縁１３において着用者の足甲部を締め付けることが少なくても滑り止め効果が大きく、しかも樹脂細幅部２０によって周縁１３の編地がほつれることも防止できる。
【００３０】
また、着用者の踵部には、上方開口部１２の後方周縁１３に接してカバー内側に形成した樹脂半楕円部２４が存在することにより、薄いシリコーンシートの踵部滑り止めを別個に設けなくても、樹脂半楕円部２４によって着用者の足１０の踵部との密着性を高め、フットカバー１が足１０からズレれることを防止できる。樹脂半楕円部２４では、その周囲に並列帯状片２２が配設され、該並列帯状片によって、カバー編地が伸びた際に樹脂半楕円部２４の個所における引っ張り変形が緩和され且つ踵部６における滑り止め効果が高くなる。
【実施例１】
【００３１】
次に、本考案を実施例に基づいて説明するが、本考案は実施例によって限定されるものではない。フットカバー１を製造するために、足形平面の足底部２と、爪先部３、両側辺部５および踵部６を含む細長い足周囲部７とを別個に編成する。足底部２は、フットカバー１を形成する足周囲部７よりも厚手の編地で編成して、クッション性を持たせる。
【００３２】
図１に示すように、足底部２には、その下側に、シリコーン樹脂からなる薄い滑り止め部３０を設けることが可能である。滑り止め部３０は、適宜の平面模様で分散配列すればよく、パンプスやスニーカーなどの靴内底との密着性を高め、フットカバー１の履き位置がズレることを効果的に防止する。
【００３３】
図２に示す細長い足周囲部７は、公知の縦編機によって適宜に幅を変えながら連続的に編成する。足周囲部７の連続編地は、ロータリーまたは扇型スクリーン印刷機に送り込み、周縁１３に沿って上側に樹脂縦縞部１４、樹脂細幅部２０および樹脂半楕円部２４を連続的に約２００μｍの厚盛りで印刷する。この印刷後に図２の一点鎖線で裁断すれば各足周囲部７に小分けできる。樹脂半楕円部２４は、図２のように樹脂縦縞部１４および樹脂細幅部２０と連続配列される。樹脂半楕円部２４には、各フットカバー１の着用側の足が判るように「Ｌ」３２または「Ｒ」の抜き模様を設ける。
【００３４】
足周囲部７において、樹脂細幅部２０の幅は約２ｍｍであり、樹脂縦縞部１４の横幅は１０ｍｍである。樹脂縦縞部１４を構成する並列帯状片１８の幅は約２ｍｍ、連続間欠１６の幅は約１ｍｍである。樹脂半楕円部２４は、着用者の踵幅に相当する横幅を有し、その縦幅はカバー高さのほぼ半分であり、並列帯状片２２の横幅は１０ｍｍであると好ましい。樹脂縦縞部１４の各隅部および該樹脂縦縞部と樹脂細幅部２０との接続部は、図３のように面取り状に湾曲させ、樹脂半楕円部２４の並列帯状片２２の各隅部も図４のように面取り状に湾曲させる。
【００３５】
フットカバー１を製造する際には、足底部２の周囲に足周囲部７の下辺を環状に縫着線８で縫着し、さらに足周囲部７の両側縁を縫着線９で縫着する。足周囲部７を足底部２に縫着すると、部分７ａが爪先部３に相当し、部分７ｂが踵部６に相当する。シリコーン樹脂の樹脂細幅部２０は、上方開口部１２の周縁１３の内側に環状に形成され、つまり爪先部３、両側辺部５および踵部６の各周縁に沿って内側に形成される。また、樹脂半楕円部２４は、フットカバー１の製造後に上方開口部１２の後方周縁の内側に位置する。
【００３６】
縫製完了後のフットカバー１は、図１に示すように、着用者の足１０の足裏部、爪先部、両側辺部および踵部を被覆するとともに、足甲部の大半および足首部は露出する。フットカバー１は、厚手の編地の足底部２を除いて薄手の編地で編成され、着用時にパンプスやスニーカーなどの靴から露出しないように、履き口である上方開口部が大きく開かれている。フットカバー１は、足底部２の全周囲に縫着線８が形成され、さらに足周囲部７において縫着線９が高さ方向に１本形成されるだけであるので、縦縫着線が複数本である従来品と比べて着用者の足１０に与える違和感は小さい。
【符号の説明】
【００３７】
１  フットカバー  
２  足底部  
３  爪先部  
５  両側辺部  
６  踵部
７  足周囲部
８，９  縫着線
１４  樹脂縦縞部
１６  連続間欠
１８  横並列帯状片
２０  樹脂細幅部
【図１】
0003209763.tif 000003
【図２】
0003209763.tif 000004
【図３】
0003209763.tif 000005
【図４】
0003209763.tif 000006